(57)【要約】      （修正有）【課題】一つのカシメ工具本体で様々な種類やサイズのカシメ金具に対応可能にすることで、加工コストの削減および保管・管理の簡易化を図ることができるカシメ工具を提供する。【解決手段】カシメ工具本体２を、先端部が開閉自在となるように連結されている一対の狭持杆３・４とし、プレス駒５を構成している上型６と下型７との裏面に、取付軸６ａ・７ａを設けるとともに、各狭持杆３・４に、取付軸６ａ・７ａを着脱可能に支持する取付孔３ｂ・４ｂを備えた取付台座（プレス駒保持部）３ａ・４ａを設ける。そして上型６と下型７とを、取付軸６ａ・７ａを取付台座３ａ・４ａの取付孔３ｂ・４ｂに支持させることにより、互いに対向した状態で狭持杆３・４の間に配置する。【選択図】図１
0003107245.tif 000002
【実用新案登録請求の範囲】
【請求項１】
一対の狭持杆を少なくとも先端側が開閉自在となるように連結して本体が構成され、上下一組のプレス駒が互いに対向した状態で別々の前記狭持杆の先端部に取付けられており、ハトメ等のカシメ金具を前記一組のプレス駒で加圧することによりかしめて布材等に固定するカシメ工具において、
前記各プレス駒の裏面に取付軸を設けるとともに、これらの取付軸を着脱可能に支持する取付孔を備えたプレス駒保持部が、前記各狭持杆に設けられていることを特徴とするカシメ工具。
【請求項２】
前記取付軸が円柱状に形成されており、前記プレス駒保持部の取付孔が前記取付軸を挿入可能な断面円形状に形成され、且つ前記狭持杆を貫通させた状態で設けられていることを特徴とする請求項１記載のカシメ工具。
【請求項３】
前記各プレス駒保持部が、内側が前記取付孔として構成されている合成樹製の筒型の保持部本体を有し、この保持部本体を前記狭持杆に設けた貫通孔に着脱可能に嵌合させることにより、前記各狭持杆に取付けられている特徴とする請求項１または２記載のカシメ工具。
【請求項４】
前記本体が、合成樹脂を用いて側面視コの字型に一体成形されており、上下一対の前記狭持杆の一方に、他方の前記狭持杆に向かってガイドピンが突設されるとともに、他方の前記狭持杆の前記ガイドピンに対向する位置に、内部に前記ガイドピンを挿脱自在に嵌合可能な筒型のガイド受部が突設されていることを特徴とする請求項１〜３のいずれかに記載のカシメ工具。
【請求項５】
前記一対の狭持杆が交差した状態で軸部材によって連結されており、連結部分において、一方の前記狭持杆の側面に他方の狭持杆を係止可能な着脱式のストッパーが設けられていることにより、前記一対の狭持杆の最大開度が変更可能に構成されていることを特徴とする請求項１〜３のいずれかに記載のカシメ工具。
【考案の詳細な説明】
【技術分野】
【０００１】
本考案は、ハトメ・カシメ・スナップ・リングホック等のカシメ金具を加圧することでかしめて、布製品や革製品等に取付けるカシメ工具に関する。
【背景技術】
【０００２】
従来、洋服・バッグ・ベルト・靴などの布製品や革製品等の装飾や紐通しの補強として、ハトメ・カシメ・スナップ・リングホック等のカシメ金具が用いられている。これらのカシメ金具は表用パーツと裏用パーツとで構成されており、これらのパーツを取付部分の生地に表側と裏側とから挟み込んだ状態にして固定されている。
【０００３】
例えばハトメの場合だと、布製品の取付位置の生地にあらかじめポンチ等の孔あけ具を用いて孔を開け、この孔をカシメ工具の下型に載置されている裏用パーツの筒状係止片に嵌め込むようにして生地をセットし、その上からリング状の表用パーツを、裏用パーツの筒状係止片に嵌め込み、表用パーツと裏用パーツとで生地を挟み込んだ状態にする。
【０００４】
次に、カシメ工具の上型と下型とを噛み合せることで、表用パーツと裏用パーツとを表裏両面から加圧することで、裏用パーツの筒状係止片を変形させて先端部を表用パーツの係止部に係止させ固定する。この際、筒状係止片が生地を巻き込みながら係止部に係止されるため、ハトメは生地をしっかりと挟み込んだ状態で布製品に固定されるのである。
【０００５】
このようにカシメ金具をかしめる工具としては、上型と下型とが別体で設けられているものが一般的である。このようなカシメ工具は、作業台上に載置した厚みを有する円板状の下型の上に、カシメ金具と生地とをそれぞれセットしたのち、上部に打撃部を有する円柱状の上型を、カシメ金具に当接させた状態で下型に対して垂直になるような姿勢に保持し、打撃部をハンマー等で叩いてカシメ金具をかしめている。
【０００６】
また別のタイプのカシメ工具としては、開閉自在に連結されている一対の狭持杆の先端部に、互いに対向して配置されている一組のプレス駒の一方が、別々の狭持杆にそれぞれ取付けられているプライヤー型のものがある。このプライヤー型のカシメ工具は次のように用いられる。まず、一対のプレス駒の間にカシメ金具と生地とをセットしたうえで、一対の狭持杆のグリップ部を軽く握ってプレス駒でカシメ金具を挟んだ状態にする。続いて狭持杆を強く握ってカシメ金具に圧力を加えかしめる。こうしてカシメ金具が生地に固定されたら、狭持杆の先端部を開いて生地を抜き取るのである。
【０００７】
このプライヤー型のカシメ工具に類するものとして、アルミリベットをプリント基板に取付けるためのハンドリベッタが公開されている。
【特許文献１】公開平２−１０８５４１号公報（第１〜４頁、第１〜２図）
【考案の開示】
【考案が解決しようとする課題】
【０００８】
しかしながら前者のカシメ工具は、下型と上型とが別体で設けられているため、位置合わせが難しく、熟練者でないと上手くかしめることができない場合があるし、かしめる際にハンマー等で誤って手を打ち付けてしまう恐れがある。
【０００９】
後者のカシメ工具では、上記のような問題点については解決されているものの、プレス駒を交換することができないため、一つのカシメ工具の本体で、一種類、且つ一サイズのカシメ金具しかかしめることができない。したがって、別の種類のカシメ金具をかしめる場合には、そのカシメ金具用のプレス駒が付いたカシメ工具を用いなければならないため、本体の数が多くなって嵩張るため保管しづらい。しかも、同じ種類のカシメ金具であってもサイズが異なる場合には、別のプレス駒の付いたカシメ工具が必要になるため、ますます本体の数が多くなり管理にも手間がかかる。
【００１０】
また、本体の数が多くなるためその分の費用が嵩むほか、使用頻度の少ないカシメ金具であっても、カシメ工具を用意しておく必要があるため、使用頻度に対してカシメ工具の購入コストが割りに合わない場合がある。
【００１１】
本考案は、これらの問題点に鑑みてなされたもので、一つのカシメ工具で様々な種類やサイズのカシメ金具に対応可能にすることで、加工コストの削減および保管・管理の簡易化を図ることができるカシメ工具を提供することを目的としている。
【課題を解決するための手段】
【００１２】
上記の課題を解決するため請求項１記載のカシメ工具は、一対の狭持杆を少なくとも先端側が開閉自在となるように連結して本体が構成されており、上下一組のプレス駒が互いに対向した状態で別々の前記狭持杆の先端部に取付けられており、ハトメ等のカシメ金具を前記一組のプレス駒で加圧することによりかしめて布材等に固定するカシメ工具において、前記各プレス駒の裏面に取付軸を設けるとともに、これらの取付軸を着脱可能に支持する取付孔を備えたプレス駒保持部を、前記各狭持杆に設けることを特徴としている。
【００１３】
請求項１記載のカシメ工具によれば、前記一組のプレス駒を、前記狭持杆に設けた前記プレス駒保持部に着脱可能にすることにより、取付けられている前記一組のプレス駒を取外して、別の種類のプレス駒に交換することができるため、前記本体一つで色々なカシメ金具をかしめることが可能になる。
【００１４】
したがって、使用するカシメ金具に応じた前記一組のプレス駒を用意しておけば、前記本体を複数個持つ必要がなくなり管理の手間が省ける。つまり、主に前記プレス駒の破損や紛失についてチェックを行えば良く、前記プレス駒の種類ごとに前記本体の経年劣化等を調べる必要がなくなるからである。
【００１５】
また、嵩張らないため保管もし易く、前記本体を購入する分にかかるコストを抑えることができるため、加工コストを抑えることができる。
【００１６】
請求項２記載のカシメ工具は、取付軸を円柱状に形成し、プレス駒保持部の取付孔を前記取付軸が挿入可能な断面円形状に形成するとともに、狭持杆を貫通させた状態で設けることを特徴としている。
【００１７】
請求項２記載のカシメ工具によれば、前記取付軸を前記取付孔に嵌め込むだけで、前記プレス駒を前記狭持杆に装着することができるため、前記プレス駒の交換を手軽に行なえるようになる。また前記取付孔を、前記狭持杆を貫通させた状態で設けることにより、前記プレス駒を外す際、前記取付孔の反対側から前記取付軸の先端部を押して前記取付軸を前記取付孔から外すことができるため、前記プレス駒の取外しが容易になる。
【００１８】
請求項３記載のカシメ工具は、各プレス駒保持部が、内側が取付孔として構成されている合成樹脂製の筒型の保持部本体を有しており、この保持部本体を狭持杆に設けた貫通孔に着脱可能に嵌合させることで、前記各狭持杆に取付けることを特徴としている。
【００１９】
請求項３記載のカシメ工具によると、前記取付孔の滑りが良くなるため前記取付軸を着脱し易くなる他、前記プレス駒の着脱を繰り返すことにより前記取付孔内面が磨耗した場合、前記プレス駒保持部を交換することで前記本体を引き続き使用することができるため買い替え等の無駄を省くことができる。
【００２０】
請求項４記載のカシメ工具は、前記本体を、合成樹脂を用いて側面視コの字型に一体形成し、上下一対の前記狭持杆の一方に、他方の前記狭持杆に向かってガイドピンを突設するとともに、他方の前記狭持杆の前記ガイドピンに対向する位置に、内部に前記ガイドピンを挿脱自在に嵌合可能な筒型のガイド部を突設することを特徴としている。
【００２１】
請求項４記載のカシメ工具によれば、前記一対の狭持杆を閉じると、一方の前記狭持杆の前記ガイドピンが、他方の前記狭持杆の前記ガイド部内に嵌入された状態となるため、前記一対の狭持杆どうしがずれにくくなり、前記各狭持杆に装着されている前記プレス駒どうしを確実に一致させることができるようになるため、より手軽に正確なかしめが行なえるようになる。
【００２２】
請求項５記載のカシメ工具は、前記一対の狭持杆を交差した状態で軸部材により連結し、連結部分において、一方の前記狭持杆の側面に他方の狭持杆を係止可能な着脱式のストッパーを設けて、前記一対の狭持杆の最大開度を変更可能な構成とすることを特徴としている。
【００２３】
請求項５記載のカシメ工具によれば、前記一対の狭持杆を交差した状態で前記軸部材により連結し、連結部分において、一方の前記狭持杆を係止可能な着脱式の前記ストッパーを、他方の前記狭持杆の側面に設けて、前記一対の狭持杆の最大開度を変更可能にすることで、かしめ作業をし易くすることができる。
【００２４】
つまり、前記ストッパーを一方の前記狭持杆の側面に取付けておくと、他方の前記狭持杆は前記ストッパーに係止されてその位置で止まるため、前記プレス駒やカシメ金具のサイズが小さい場合、前記一対の狭持杆が開きすぎて作業がしづらくなるようなことがないからである。一方、前記プレス駒のサイズが大きい場合には、前記ストッパーを外して前記一対の狭持杆が大きく開くようにしておけば、前記プレス駒が着脱し易くなるうえカシメ金具もセットし易くなるからである。
【考案の効果】
【００２５】
このような手段を用いて為される本考案のカシメ工具は次のような効果がある。
【００２６】
１．プレス駒の付け替えが可能であるため、１台のカシメ工具本体で様々なカシメ金具をかしめることができ、例えば複数種類のカシメ金具を取付ける場合、それらのカシメ金具用のプレス駒だけを用意すれば良く、嵩張る本体は１台で済むため、作業スペースが煩雑にならず作業がし易くなる。また保管の際、プレス駒と本体とをまとめてコンパクトにすることができるため、狭いスペースにも楽に収納することができる。
【００２７】
２．１台のカシメ工具本体をプレス駒を交換して使用することができるため、プレス駒毎にカシメ工具本体の管理を行なう必要がなく、管理にかかる手間を省くことができる。
【００２８】
３．使用者は１台のカシメ工具本体があれば、あとはカシメ金具に応じたプレス駒を用意するだけで良く、プレス駒とカシメ工具本体とが一体となった従来のカシメ工具に比べて価格的に購入し易くなり、色々な種類のカシメ金具を使い易くなるほか、カシメ金具を用いた製品にかかるコストを抑えることができる。
【００２９】
４．一対の狭持杆の最大開度を変更可能にすることで、よりプレス駒のサイズや種類に適した、言い換えると、よりカシメ金具の種類やサイズに適した態様で使用することができるため、作業し易くて使い勝手の良いカシメ金具を提供できるようになる。
【００３０】
５．一対の狭持杆をガイドピンとガイド受部とにより、狭持杆どうしのずれをなくすことで、一対のプレス駒を正確に噛み合わせることができ、熟練者でなくともカシメ金具を簡単、且つ確実にかしめれるようになる。
【考案を実施するための最良の形態】
【００３１】
以下に、本考案にかかるカシメ工具の実施形態について、図１〜８を参照しつつ説明する。図１はパンチ型のカシメ工具１の斜視図を示しており、図２にはそのカシメ工具本体２の前後方向の縦断面図を示している。このカシメ工具本体２は合成樹脂で一体成形されており、横長の長方形の板状部材を側面視コの字型に屈曲させたような形状を有している。その中間部分（つまり、縦の部分）には、上下方向中間部に全幅にわたって狭い幅で薄肉部分が形成されており、この薄肉部分を連結部２ａとして上下一対の狭持杆３・４が構成されている。こうして連結部２ａの肉厚を他に比べて薄くすることで曲がり易くなるため、狭持杆３・４の先端部の開閉をスムーズに行うことができる。
【００３２】
各狭持杆３・４の先端は平面から見ると半円状になっており、先端部の内側面にはプレス駒用の取付台座（プレス駒保持部）３ａ・４ａが形成されている。この取付台座３ａ・４ａは平面視円形状に形成され、中央部には後述するプレス駒５の取付軸を嵌合可能な取付孔３ｂ・４ｂが各狭持杆３・４を貫通した状態で設けられており、この取付孔３ｂ・４ｂの周囲には、平面視円弧状の溝３ｃ・４ｃが１２０°振り分けで設けられている。
【００３３】
また、上側の狭持杆３の内側面には、中央部に円柱状のガイドピン３ｄが突設されており、下側の狭持杆の内側面には、同じく中央部にあってガイドピン３ｄに対応した位置に、内側がガイドピン３ｄを挿脱自在に嵌合可能なガイド孔４ｄになっている筒型のガイド受部４ｅが突設されている。ガイドピン３ｄは、先端部を半球状に丸めることで、ガイド孔４ｄに誘導させ易くしている。
【００３４】
一方、このカシメ工具本体２に装着するプレス駒５は、上下一対の型（上型６と下型７）からなり、上型６と下型７とはそれぞれ、表側の面にはカシメ金具に応じた凹凸（この場合はハトメ）が設けられ、裏側の面には先端を半球状に丸めた円柱状の取付軸６ａ・７ａが中央部に突設されている。取付軸６ａ・７ａは、狭持杆３・４の取付孔３ｂ・４ｂに嵌合可能で、且つ簡単に着脱できるように、取付孔３ｂ・４ｂの径よりわずかに小さい径で形成されている。
【００３５】
次に、このカシメ工具１を使用したカシメ金具の取付けについて説明する。カシメ金具にはハトメ８を使用し、それを布製品に取付ける場合について説明する。
【００３６】
カシメ工具本体２にはハトメ用のプレス駒５を装着しておく。このハトメ用のプレス駒５は、図１に示すように、鋼材で形成されている上型６と、硬質樹脂で一体形成されている下型７とを一組として構成されており、各取付軸６ａ・７ａを取付孔３ｂ・４ｂに嵌合させることで狭持杆３．４に保持させるようにしている。
【００３７】
上型６は、円板状に形成された基部６ｂの片側面に、円柱状の取付軸６ａが中央部に突設され、もう一方の面の中央部には、先端にやや丸みを持たせた横断面円形の凸部６ｃが形成されている。
【００３８】
また、下型７は厚みのある円板状に形成された本体７ｂの片側面の中央部に、円柱状の取付軸７ａが設けられ、もう一方の面には、上型６と下型７とを噛合せた際に上型６の凸部６ｃが収まる断面凹状の嵌合孔７ｃが中央部に形成されるとともに、円弧状に窪んだ断面形状を有する溝部７ｄが縁部全周に形成されている。
【００３９】
一方、布製品のハトメ取付位置には、ポンチ等の孔あけ具を使用して、ハトメ８の裏用パーツ９に設けられている筒状の係止片９ａを挿通可能な貫通孔Ｈを生地Ｆに設けておく。
【００４０】
次に図３に示すように、カシメ工具１を作業台Ｔの上に置き、カシメ工具１の下型７の上に、ハトメ８の裏用パーツ９を係止片９ａを上向きにしてセットする。そして、ハトメ８を取付ける部分の生地Ｆを狭持杆３・４の間に差し入れて、裏用パーツ９の係止片９ａに生地Ｆの貫通孔Ｈを通し、生地Ｆの貫通孔Ｈから突出している係止片９ａにリング状の表用パーツ１０を嵌めて生地Ｆが裏用パーツ９と表用パーツ１０との間に挟まれた状態にする。
【００４１】
それから上側の狭持杆３を下ろして、上型６の凸部６ｃを裏用パーツ９の係止片９ａの先端部に嵌合させた状態としたうえで、狭持杆３の先端部をハンマー等で叩いて係止片９ａを加圧する。この際、ガイドピン３ｄがガイド孔４ｄに嵌入するため狭持杆３・４どうしのずれが防止され、ハトメ８を正確にかしめることができる。
【００４２】
係止片９ａは加圧されたことによって上型６の表面に沿いながら変形し、その先端部が生地を巻き込みながら表用パーツ１０の係止部１０ａに係止される。これにより、裏用パーツ９と表用パーツ１０とで生地Ｆをしっかりと挟み込んだ状態で、ハトメ８を布製品に固定できるのである。
【００４３】
ハトメ８を固定し終えたら上下の狭持杆３・４を開いて生地Ｆを引き出して、同じ要領で順次別の取付位置にハトメ８を固定していく。
【００４４】
また、ハトメとは別の種類のカシメ金具を布製品に取付けようとする場合には、図４（ａ）に示すように、取付られているハトメ用のプレス駒を、使用するカシメ工具に応じたプレス駒（この場合はリングホック）と交換すれば良い。
【００４５】
この際、プレス駒を狭持杆から取外しにくい場合には、図４（ｂ）に示すように、狭持杆３の取付孔３ｂに裏側から抜き棒Ａの先端部を押し込んだ状態で、その後端をハンマー等で軽く叩き、取付孔３ｂから取付軸６ａを押出すことによりプレス駒を外すことができる。
【００４６】
また、カシメ工具本体は上記のようなパンチ型のものに限ることはなく、例えばプライヤー型のものとすることもできる。
【００４７】
図５および図６（ａ）に示すように、プライヤー型のカシメ工具本体２２は、一対の狭持杆２３・２４を、先端部が開閉自在となるように交差させた状態で連結ピン２８により連結したもので、各狭持杆２３・２４は、連結ピン２８の中心軸に直交する面内で回転可能するよう構成されている。そして、これらの狭持杆２３・２４は先端部にプレス駒の上型または下型を装着可能になっている。
【００４８】
各狭持杆２３・２４は、鋼板をプレス成形した後メッキ処理を施したもので、上型を装着する狭持杆２３はＵ字型の断面形状を有するように、また下型を装着する狭持杆２４は逆Ｕ字型の断面形状を有するようにそれぞれ形成されている。
【００４９】
そして両方の狭持杆２３・２４とも、連結部分において上面部、或は底面部の一部を切り欠いて開口部２３ａ・２４ａを設けており（図６（ａ）参照）、上型用の狭持杆２３を下型用の狭持杆２４の開口部２４ａに貫通させるようにして両狭持杆２３・２４を交差させている。両狭持杆２３・２４は同じ幅で形成されているので、下型用の狭持杆２４の狭持杆２３と交差する部分は幅を若干広げた形に形成されている。
【００５０】
交差している両狭持杆２３・２４は、その交差する部分に設けた連結ピン２８によって開閉自在となっており、連結ピン２８に外挿した状態で取付けられているコイル状のバネ２９によって、先端部を開く方向に付勢されている。
【００５１】
このようにして連結されている両狭持杆２３・２４の後側は把持部となっており、滑り止め用の凹凸が表面の一部に設けられているゴム製のグリップ３０・３１がそれぞれ外装されている。
【００５２】
一方、両狭持杆２３・２４の先端部にはそれぞれ、他方の狭持杆と対向している面に貫通孔２３ｂ・２４ｂが設けられていて、これらの貫通孔２３ｂ・２４ｂには、プレス駒を保持することができるプレス駒保持部３２・３３が各々取付けられている。これらのプレス駒保持部３２・３３は同形状であるため、狭持杆２３に取付けられているプレス駒保持部３２を用いて説明を行なうこととするが、図６（ｂ）に示すように、プレス駒保持部３２は、硬質樹脂を用いて一体成形されているもので、円筒型の保持部本体３２ａの一端部を半径方向に突出させて円板状の台座３２ｂを形成するとともに、保持部本体３２ａの外周面に長さ方向の溝（図示せず）を等間隔で複数本設けたものである。そして、台座３２ｂ・３３ｂが互いに向き合うような配置するとともに、保持部本体３２ａ・３３ａを貫通孔２３ｂ・２４ｂに嵌め込み狭持杆２３・２４に取付けている（図１参照）。なお、プレス駒保持部３２・３３は交換することができる。
【００５３】
また、このプライヤー型のカシメ工具本体２２には、図７（ａ）に示すように、狭持杆を閉じた状態に保持することができる係止バー３４が付属されている。この係止バー３４は、丸棒の両端部を同方向にほぼ直角に曲げて形成したもので、狭持杆２３・２４を閉じた状態にしたうえで、両端部を、各狭持杆２３・２４のグリップ３０・３１後端部に他方の狭持杆に向かって突設している係止部の係止孔３０ａ・３１ａに差し込むことにより、両狭持杆２３・２４を閉じた状態で保持できるようになっている。
【００５４】
さらに、このプライヤー型のカシメ工具本体２２には、両狭持杆２３・２４の最大開き角度を２段階に調節できる開度調節機構が設けられている（図６（ａ）参照）。この開度調節機構は、上型用の狭持杆２３の連結部近傍に位置する一側面にねじ孔３５を形成し、このねじ孔３５に円柱型のストッパーねじ３６を螺合させて取付けたもので、これによりバネ２９によって開く方向に付勢されている下型用の狭持杆２４が、ストッパーねじ３６によって係止されるため、両狭持杆２３・２４の最大開き角度を小さくすることができる。  ストッパーねじ３６は、図７（ｂ）に示すように、下部外周に雄ねじ３６ａが形成されており、上面部にはマイナスドライバー等を係止可能な断面凹状の係止溝３６ｂが、上面部を横方向に貫通した状態で形成されている。
【００５５】
そしてこのストッパーねじ３６を外しておくと、下型用の狭持杆２４が自由に開くようになるため、狭持杆２３・２４を限界まで開くことができるようになる。
【００５６】
次に、このプライヤー型のカシメ工具本体２２を用いてスナップ３７を取付ける場合について説明する。
【００５７】
はじめにスナップ用のプレス駒２５の上型２６と下型２７とを、取付軸２６ａ・２７ａをプレス駒保持部３２・３３の保持部本体３２ａ・３３ａに嵌合させるようにして各狭持杆２３・２４に装着する。
【００５８】
スナップ用のプレス駒２５の上型２６と下型２７とはいずれも、硬質樹脂を用いて縦断面形状凹型に一体成形されたもので、裏面中央部に円柱状の取付軸２６ａ・２７ａが突設されている。
【００５９】
上型２６の内側底部には内径より小さい径で断面凹状に窪ませて段差を設け、中央部にスナップ３７の裏用パーツ３８にある凸部３８ａが嵌合する断面凹状の嵌合孔３２ｂが形成されている。一方、プレス駒の下型２７は、内側底部に断面凹状の孔３３ｂが中央部に設けられており、外周面の中間部に段差が形成されていて、上部の外径を下部の外径よりも小さくし、上型と下型とを噛み合せた際に、上部が上型３２内に嵌入されるようにしている。
【００６０】
そして、狭持杆２３・２４に装着されている下型２７内に、スナップ３７の表用パーツ３９を係止ツメ３９ａのある面を上に向けてセットするとともに、上型２６内に裏用パーツ３８を凸部３８ａを嵌合孔３２ｂに嵌入させるようにしてセットし、次に表用パーツ３９の上に、布製品のスナップ３７を取付ける部分の生地Ｆを載せる。
【００６１】
それから両狭持杆２３・２４のグリップ３０・３１を握って狭持杆２３・２４を閉じ、スナップ３７を上型２６と下型２７とで加圧する。すると、表用パーツ３９の係止ツメ３９ａは生地を貫通しながら変形し、裏用パーツ３８の係止部（図示せず）に係止されるため、表用パーツ３９と裏用パーツ３８とで生地Ｆを挟み込んだ状態でスナップ３７が固定される。スナップ３７を固定し終えたら、狭持杆２３・２４を開きスナップ３７を固定した生地Ｆを外して、同様の手順で別の位置にスナップを固定する。
【００６２】
また別のカシメ金具を取付けようとする場合には、カシメ工具本体２２はそのままで、プレス駒だけを交換すれば良い。
【００６３】
この際、カシメ金具にリングホックや直径８ｍｍ以上のハトメ、または大きなサイズのカシメを使用する場合には、ストッパーねじ３６を取外しておくと狭持杆２３・２４の先端部の開き方が大きくなるため、プレス駒の交換がし易くなる他、カシメ金具や生地のセットもし易くなり、かしめ作業の作業性が良くなる。また逆に、スナップや直径７ｍｍまでのハトメなど小さいサイズのカシメ金具を使用する場合には、ストッパーねじ３６を取付けておいて狭持杆２３・２４の先端部が開きすぎないようにすることで作業がし易くなる。
【００６４】
また、かしめ作業が終了すれば、狭持杆２３・２４を閉じた状態にして係止バー３４を取付け、狭持杆２３・２４が開かないようにして保管する。こうして、狭持杆２３・２４が開かない状態にすることでコンパクトに収納することができ、整理し易く保管が簡単に行なえる。
【００６５】
なお、本実施形態ではプレス駒の装着を、上型および下型の取付軸を狭持杆の取付孔に嵌入させたり、或はプレス駒保持部の筒型本体に嵌入させたりすることによって行なっているが、これに限ることはなく例えば、取付軸の外周面に雄ねじを形成する一方、狭持杆の取付孔の内周面やプレス駒保持部の筒型本体の内周面に雌ねじを形成し、取付軸を取付孔や筒型本体に螺合させることによってプレス駒の装着を行なうようにしても良い。
【図面の簡単な説明】
【００６６】
【図１】本考案にかかるカシメ工具の実施形態を示す斜視図であって、ハトメ用プレス駒の取付要領を示している。
【図２】本実施形態にかかるカシメ工具本体の前後方向の縦断面図である。
【図３】本実施形態のカシメ工具の使用方法についての説明図で、ハトメと生地とのセット要領を示している。
【図４】（ａ）は本実施形態のカシメ工具本体を示す斜視図であって、リングホック用のプレス駒の取付要領を示しており、（ｂ）はプレス駒の取外し方法を示す説明図である。
【図５】本考案にかかるカシメ工具の別の実施形態を示す斜視図でありプライヤー型のものを示している。
【図６】（ａ）プライヤー型のカシメ工具本体の先端側を示す部分拡大図であり、（ｂ）はプライヤー型のカシメ工具の先端部を示す部分拡大図であって、プレス駒保持部の取付け部分を示している。
【図７】（ａ）プライヤー型のカシメ工具の後端側の部分拡大図であって、係止バーを取付けた状態を示しており、（ｂ）はプライヤー型のカシメ工具の先端部を表す部分拡大図であって、ストッパーねじを外した状態を示している。
【図８】プライヤー型のカシメ工具の使用方法についての説明図で、スナップと生地とのセット要領を示している。
【符号の説明】
【００６７】
１      カシメ工具
２      カシメ工具本体
２ａ    連結部
３・４  狭持杆
３ａ・４ａ  取付台座
３ｂ・３ｂ  取付孔
３ｄ    ガイドピン
４ｄ    ガイド孔
４ｅ    ガイド部
５      プレス駒
６      上型
６ａ    取付軸
７      下型
７ｂ    取付軸
８      ハトメ
【図１】
0003107245.tif 000003
【図２】
0003107245.tif 000004
【図３】
0003107245.tif 000005
【図４】
0003107245.tif 000006
【図５】
0003107245.tif 000007
【図６】
0003107245.tif 000008
【図７】
0003107245.tif 000009
【図８】
0003107245.tif 000010